(57)【要約】【課題】位相誤差を補正する位相誤差補正回路部を設けて、広い周波数帯域に亘って位相誤差を小さくした電子回路を提供する。【解決手段】信号入出力回路部１は、第１回路部１１を通過する信号の周波数に対する通過位相特性を示す第１特性線の傾き値が、第２回路部１２を通過する信号の周波数に対する通過位相特性を示す第２特性線の傾き値よりも大きい値となるように設定している。また、入力信号の位相を進ませる第１移相器４と、入力信号の位相を遅らせる第２移相器５とを直列に接続してなる位相誤差補正回路部６を、第２回路部１２の第２入力端子２２側に接続している。これにより、第１移相器４の移相量及び第２移相器５の移相量を調整することで、位相誤差補正回路部６及び第２回路部１２を通過する信号の周波数に対する通過位相特性を示す第３特性線の傾き値を変化させる。【選択図】図２
2015173306.tif 000002
【特許請求の範囲】
【請求項１】
第１信号経路を通過する信号の周波数に対する通過位相特性を示す第１特性線の傾き値が、第２信号経路を通過する信号の前記周波数に対する通過位相特性を示す第２特性線の傾き値と異なる値になるように設定された信号入出力回路部と、
入力信号の位相を進ませる第１移相器と、該第１移相器に対して直列に接続され、かつ前記入力信号の位相を遅らせる第２移相器とを有し、前記第２信号経路に接続された位相誤差補正回路部とを具備し、
前記第１移相器及び前記第２移相器の移相量を、前記位相誤差補正回路部及び前記第２信号経路を通過する信号の前記周波数に対する通過位相特性を示す第３特性線の傾き値が、前記第２特性線の傾き値よりも前記第１特性線の傾き値に近い値となるように設定してなる
ことを特徴とする電子回路。
【請求項２】
前記第１移相器及び前記第２移相器の移相量を、互いに等しい移相量に設定してなることを特徴とする請求項１記載の電子回路。
【請求項３】
前記第１移相器は、第１誘導素子の一端部を挟んで直列に第１容量素子及び第２容量素子を接続し、かつ前記第１誘導素子の他端部を電気的に接地したＴ型回路に構成してなることを特徴とする請求項１又は請求項２記載の電子回路。
【請求項４】
前記第１移相器は、第５容量素子と、一端部を該第５容量素子の一端部と接続し、かつ他端部を電気的に接地した第３誘導素子と、一端部を前記第５容量素子の他端部と接続し、かつ他端部を電気的に接地した第４誘導素子とを具備するπ型回路に構成してなることを特徴とする請求項１又は請求項２記載の電子回路。
【請求項５】
前記第２移相器は、第６容量素子の一端部を挟んで直列に第５誘導素子及び第６誘導素子を接続し、かつ前記第６容量素子の他端部を電気的に接地したＴ型回路に構成してなることを特徴とする請求項１から請求項４のうちのいずれか１項記載の電子回路。
【請求項６】
前記第２移相器は、第２誘導素子と、一端部を該第２誘導素子の一端部と接続し、かつ他端部を電気的に接地した第３容量素子と、一端部を前記第２誘導素子の他端部と接続し、かつ他端部を電気的に接地した第４容量素子とを具備するπ型回路に構成してなることを特徴とする請求項１から請求項４のうちのいずれか１項記載の電子回路。
【発明の詳細な説明】
【技術分野】
【０００１】
この発明は、複数の信号経路を通過する信号の位相誤差を補正する位相誤差補正回路部を設けた電子回路に関するものである。
【背景技術】
【０００２】
レーダ装置や通信装置等の送受信機においては、複数の信号経路における入力信号の位相と出力信号の位相との位相差（いわゆる「通過位相」）が一定であることが求められている。そのため、信号経路間の通過位相の誤差（以下「位相誤差」という）を補正する手段が用いられている（例えば、特許文献１及び特許文献２参照）。
【０００３】
特許文献１には、複数の伝送線路の電気的な長さ（いわゆる「電気長」（ｅｌｅｃｔｒｉｃａｌ  ｌｅｎｇｔｈ））を互いに等しい長さにすることで位相誤差を補正するアンテナ給電回路が開示されている。また、特許文献２には、複数の信号経路にそれぞれ設けた可変移相器による通過位相の変化量（いわゆる「移相量」）を調整することで位相誤差を補正する装置及び方法が開示されている。
【先行技術文献】
【特許文献】
【０００４】
【特許文献１】特開平２−１９４７０２号公報
【特許文献２】特許第３３５７３６６号公報
【発明の概要】
【発明が解決しようとする課題】
【０００５】
しかしながら、伝送線路の電気長や可変移相器の移相量は、通過する信号の周波数に応じて異なる。そのため、特許文献１及び特許文献２の構成は、所定の周波数の信号の位相誤差しか補正できない課題があった。
【０００６】
例えば、通過する信号の周波数に対する通過位相特性が互いに異なる複数の回路部位を非対称に配置した電子回路においては、回路部位ごとに信号の周波数に対する通過位相特性を示す特性線の傾き値が異なる。このため、特許文献１又は特許文献２の構成を適用しても、通過する信号の周波数が所定の周波数から離れるにつれて位相誤差が大きくなる課題があった。
【０００７】
この発明は、上記のような課題を解決するためになされたものであり、位相誤差を補正する位相誤差補正回路部を設けて、広い周波数帯域に亘って位相誤差を小さくした電子回路を提供することを目的とする。
【課題を解決するための手段】
【０００８】
この発明の電子回路は、第１信号経路を通過する信号の周波数に対する通過位相特性を示す第１特性線の傾き値が、第２信号経路を通過する信号の周波数に対する通過位相特性を示す第２特性線の傾き値と異なる値になるように設定された信号入出力回路部と、入力信号の位相を進ませる第１移相器と、第１移相器に対して直列に接続され、かつ入力信号の位相を遅らせる第２移相器とを有し、第２信号経路に接続された位相誤差補正回路部とを具備し、第１移相器及び第２移相器の移相量を、位相誤差補正回路部及び第２信号経路を通過する信号の周波数に対する通過位相特性を示す第３特性線の傾き値が、第２特性線の傾き値よりも第１特性線の傾き値に近い値となるように設定してなるものである。
【発明の効果】
【０００９】
この発明によれば、位相誤差を補正する位相誤差補正回路部を設けて、広い周波数帯域に亘って位相誤差を小さくした電子回路を得ることができる。
【図面の簡単な説明】
【００１０】
【図１】この発明の実施の形態１の信号入出力回路部の構成図である。
【図２】この発明の実施の形態１の電子回路の構成図である。
【図３】この発明の実施の形態１の信号入出力回路部の周波数に対する通過位相特性を示す特性図である。
【図４】この発明の実施の形態１の電子回路の周波数に対する通過位相特性を示す特性図である。
【図５】この発明の実施の形態２の合成分配回路部の構成図である。
【図６】この発明の実施の形態２の電子回路の構成図である。
【図７】この発明の実施の形態３の合成分配回路部の構成図である。
【図８】この発明の実施の形態３の電子回路の構成図である。
【図９】この発明の実施の形態４の位相誤差補正回路部の構成図である。
【図１０】この発明の実施の形態４の電子回路の構成図である。
【図１１】この発明の実施の形態５の位相誤差補正回路部の構成図である。
【図１２】この発明の実施の形態５の電子回路の構成図である。
【発明を実施するための形態】
【００１１】
実施の形態１．
図１及び図２を参照して、この発明の実施の形態１の電子回路について説明する。
図中、２１は第１入力端子である。第１入力端子２１と第１出力端子３１ａ間に、第１回路部１１が介在されている。第２入力端子２２と第１出力端子３１ｂ間に、第２回路部１２が介在されている。第１回路部１１及び第２回路部１２により、信号入出力回路部１が構成されている。
【００１２】
ここで、第１回路部１１により第１信号経路が構成されている。第２回路部１２により第２信号経路が構成されている。信号入出力回路部１は、第１回路部１１を通過する信号の周波数に対する通過位相特性を示す特性線（以下「第１特性線」という）の傾き値が、第２回路部１２を通過する信号の周波数に対する通過位相特性を示す特性線（以下「第２特性線」という）の傾き値よりも大きい値となるように設定されている。
【００１３】
図２に示す如く、第１入力端子２１は第３入力端子２３に接続されている。第２入力端子２２と第４入力端子２４間に、第１移相器４及び第２移相器５が直列に接続されている。第１移相器４は、入力信号の位相を進ませる移相器である。第２移相器５は、入力信号の位相を遅らせる移相器である。第１移相器４及び第２移相器５により、位相誤差補正回路部６が構成されている。
【００１４】
このようにして構成された電子回路１００は、第１移相器４の移相量及び第２移相器５の移相量を増やすにつれて、位相誤差補正回路部６及び第２回路部１２を通過する信号の周波数に対する通過位相特性を示す特性線（以下「第３特性線」という）の傾き値が大きくなるようになっている。
【００１５】
次に、電子回路１００の動作について説明する。
第３入力端子２３に入力された信号は、第１入力端子２１から信号入出力回路部１に入力される。この入力信号は、第１回路部１１を通過して、第１出力端子３１ａから出力される。
【００１６】
また、第４入力端子２４に入力された信号は、位相誤差補正回路部６を通過して、第２入力端子２２から信号入出力回路部１に入力される。この入力信号は、第２回路部１２を通過して、第１出力端子３１ｂから出力される。
【００１７】
このとき、第１移相器４の移相量及び第２移相器５の移相量を調整することにより、第３特性線の傾き値を変化させる。すなわち、第３特性線の傾き値が第２特性線の傾き値よりも第１特性線の傾き値に近い値となるように第１移相器４の移相量及び第２移相器５の移相量を調整することで、広い周波数帯域に亘って位相誤差を小さくすることができる。
【００１８】
また、第１移相器４の移相量と第２移相器５の移相量とを互いに等しい移相量としたまま移相量を調整することで、所定の周波数（以下「基準周波数」という）ｆ０における第３特性線の通過位相の値を保持しつつ、第３特性線の傾き値のみを変化させることができる。
【００１９】
図３及び図４を参照して、位相誤差補正回路部６を設けた電子回路１００の効果について説明する。
図３は、比較対象として、図１に示す信号入出力回路部１において、第１回路部１１を通過する信号の周波数に対する位相特性を示す特性線Ｉ（第１特性線）と、第２回路部１２を通過する信号の周波数に対する位相特性を示す特性線ＩＩ（第２特性線）とを示している。横軸は、信号の周波数ｆ［Ｈｚ］を基準周波数ｆ０［Ｈｚ］で除すことで規格化した規格化周波数ｆ／ｆ０の値を示している。縦軸は、各回路部を通過する信号の通過位相［°］の値を示している。
【００２０】
図３に示す如く、実線の特性線Ｉと点線の特性線ＩＩとは、規格化周波数ｆ／ｆ０の値が１．００の近傍で通過位相の値が一致（いずれも約０°）している。しかしながら、特性線Ｉの傾き値（ｙ１／ｘ）が、特性線ＩＩの傾き値（ｙ２／ｘ）よりも大きい値になっている。すなわち、信号入出力回路部１においては、通過する信号の周波数ｆが基準周波数ｆ０から離れるにつれて、第１回路部１１の通過位相と第２回路部１２の通過位相との誤差が大きくなっている。
【００２１】
これに対し、図４は、図２に示す電子回路１００において、第１回路部１１を通過する信号の周波数に対する位相特性を示す特性線Ｉ（第１特性線）と、位相誤差補正回路部６及び第２回路部１２を通過する信号の周波数に対する通過位相特性を示す特性線ＩＩＩ（第３特性線）とを示している。なお、第１移相器４の移相量及び第２移相器５の移相量は、特性線ＩＩＩの傾き値が特性線Ｉの傾き値と一致するように移相量を設定している。また、第１移相器４の移相量及び第２移相器５の移相量は、互いに等しい移相量に設定している。
【００２２】
図４に示す如く、実線の特性線Ｉと一点鎖線の特性線ＩＩＩとは、規格化周波数ｆ／ｆ０の値が１．００の近傍で通過位相の値が一致（いずれも約０°）している。また、特性線ＩＩＩの傾き値（ｙ３／ｘ）は、特性線Ｉの傾き値（ｙ１／ｘ）と一致している。すなわち、規格化周波数ｆ／ｆ０が０．９０から１．１０までの広い周波数帯域に亘って、第１回路部１１の通過位相と、位相誤差補正回路部６及び第２回路部１２の通過位相との位相差が０°で一定となっている。このように、広い周波数帯域に亘って位相誤差を小さくすることができている。
【００２３】
以上のように、この実施の形態１の電子回路１００は、第１回路部１１を通過する信号の周波数に対する通過位相特性を示す第１特性線の傾き値が、第２回路部１２を通過する信号の周波数に対する通過位相特性を示す第２特性線の傾き値よりも大きい値になるように設定した信号入出力回路部１を有している。また、入力信号の位相を進ませる第１移相器４と、入力信号の位相を遅らせる第２移相器５とを直列に接続してなる位相誤差補正回路部６を、第２回路部１２の第２入力端子２２側に接続している。
これにより、第３特性線の傾き値が第２特性線の傾き値よりも第１特性線の傾き値に近い値となるように第１移相器４の移相量及び第２移相器５の移相量を調整することで、広い周波数帯域に亘って位相誤差を小さくすることができる。
【００２４】
なお、位相誤差補正回路部６は、第２入力端子２２に代えて第１出力端子３１ｂ側に接続したものとしても良い。
【００２５】
また、位相誤差補正回路部６は、第１移相器を入力信号の位相を遅らせる移相器で構成し、かつ第２移相器を入力信号の位相を進ませる移相器で構成したものとしてもよい。
【００２６】
また、位相誤差補正回路部６は、複数の第１移相器と複数の第２移相器とを直列に接続したものとしてもよい。
【００２７】
実施の形態２．
図５及び図６を参照して、合成分配回路部の入力端子側に位相誤差補正回路部を接続した電子回路について説明する。
図中、１ａは合成分配回路部（信号入出力回路部）である。合成分配回路部１ａは、第１入力端子２１ａ，２１ｂに入力された信号を合成して、第１出力端子３１ａ〜３１ｄにそれぞれ分配して出力するものである。また、合成分配回路部１ａは、第２入力端子２２ａ，２２ｂに入力された信号を合成して、第１出力端子３１ａ〜３１ｄにそれぞれ分配して出力するものである。
【００２８】
ここで、合成分配回路部１ａに含まれる信号経路のうち、第１入力端子２１ａ，２１ｂに入力された信号が第１出力端子３１ａ〜３１ｄから出力されるまでに通過する信号経路を以下「第１信号経路」という。合成分配回路部１ａに含まれる信号経路のうち、第２入力端子２２ａ，２２ｂに入力された信号が第１出力端子３１ａ〜３１ｄから出力されるまでに通過する信号経路を以下「第２信号経路」という。合成分配回路部１ａは、第１信号経路を通過する信号の周波数に対する通過位相特性を示す特性線（以下「第１特性線」という）の傾き値が、第２信号経路を通過する信号の周波数に対する通過位相特性を示す特性線（以下「第２特性線」という）の傾き値よりも大きい値となるように設定されている。
【００２９】
図６に示す如く、第１入力端子２１ａは第３入力端子２３ａに接続されている。第１入力端子２１ｂは第３入力端子２３ｂに接続されている。
【００３０】
第２入力端子２２ａと第４入力端子２４ａ間に、第１移相器４ａ及び第２移相器５ａが直列に接続されている。第１移相器４ａは、入力信号の位相を進ませる移相器である。第２移相器５ａは、入力信号の位相を遅らせる移相器である。第１移相器４ａ及び第２移相器５ａにより、位相誤差補正回路部６ａが構成されている。
【００３１】
同様に、第２入力端子２２ｂと第４入力端子２４ｂ間に、第１移相器４ｂ及び第２移相器５ｂが直列に接続されている。第１移相器４ｂ及び第２移相器５ｂにより、位相誤差補正回路部６ｂが構成されている。
【００３２】
このようにして構成された電子回路２００は、第１移相器４ａ，４ｂの移相量及び第２移相器５ａ，５ｂの移相量を増やすにつれて、位相誤差補正回路部６ａ，６ｂ及び第２信号経路を通過する信号の周波数に対する通過位相特性を示す特性線（以下「第３特性線」という）の傾き値が大きくなるようになっている。
【００３３】
次に、電子回路２００の動作について説明する。
第３入力端子２３ａ，２３ｂに入力された信号は、第１入力端子２１ａ，２１ｂから合成分配回路部１ａに入力される。合成分配回路部１ａは、この入力信号を合成して、第１出力端子３１ａ〜３１ｄにそれぞれ分配して出力する。
【００３４】
また、第４入力端子２４ａ，２４ｂに入力された信号は、位相誤差補正回路部６ａ，６ｂを通過して、第２入力端子２２ａ，２２ｂから合成分配回路部１ａに入力される。合成分配回路部１ａは、この入力信号を合成して、第１出力端子３１ａ〜３１ｄにそれぞれ分配して出力する。
【００３５】
このとき、第１移相器４ａ，４ｂの移相量及び第２移相器５ａ，５ｂの移相量を調整することにより、第３特性線の傾き値を変化させる。すなわち、第３特性線の傾き値が第２特性線の傾き値よりも第１特性線の傾き値に近い値となるように第１移相器４ａ，４ｂの移相量及び第２移相器５ａ，５ｂの移相量を調整することで、広い周波数帯域に亘って位相誤差を小さくすることができる。
【００３６】
また、第１移相器４ａ，４ｂの移相量と第２移相器５ａ，５ｂの移相量とを互いに等しい移相量としたまま移相量を調整することで、基準周波数ｆ０における第３特性線の通過位相の値を保持しつつ、第３特性線の傾き値のみを変化させることができる。
【００３７】
以上のように、この実施の形態２の電子回路２００は、第１信号経路を通過する信号の周波数に対する通過位相特性を示す第１特性線の傾き値が、第２信号経路を通過する信号の周波数に対する通過位相特性を示す第２特性線の傾き値よりも大きい値となるように設定した合成分配回路部１ａを有している。また、入力信号の位相を進ませる第１移相器４ａ，４ｂと、入力信号の位相を遅らせる第２移相器５ａ，５ｂとを直列に接続してなる位相誤差補正回路部６ａ，６ｂを、第２信号経路の第２入力端子２２ａ，２２ｂ側に接続している。
これにより、第３特性線の傾き値が第２特性線の傾き値よりも第１特性線の傾き値に近い値となるように第１移相器４ａ，４ｂの移相量及び第２移相器５ａ，５ｂの移相量を調整することで、広い周波数帯域に亘って位相誤差を小さくすることができる。
【００３８】
なお、合成分配回路部１ａの構成は図５に示すものに限定されるものではない。第１入力端子、第２入力端子及び第１出力端子を、それぞれｎ個（ｎは１以上の整数）設けたものとしてもよい。
【００３９】
また、合成分配回路部１ａは、第１入力端子〜第ｎ入力端子を設け、各入力端子から出力端子までの第１信号経路〜第ｎ信号経路を有するものとしてもよい。
ここで、位相誤差補正回路部は、他の信号経路よりも通過する信号の周波数に対する通過位相特性を示す特性線の傾き値が小さい少なくとも１つの信号経路の入力端子側に接続したものとしてもよい。また、第１移相器及び第２移相器の移相量は、位相誤差補正回路部を接続した信号経路を通過する信号の周波数に対する通過位相特性を示す特性線の傾き値が、通過する信号の周波数に対する通過位相特性を示す特性線の傾き値が最も大きい信号経路の特性線の傾き値と一致するように移相量を設定したものとしてもよい。
【００４０】
実施の形態３．
図７及び図８を参照して、合成分配回路部の出力端子側に位相誤差補正回路部を接続した電子回路について説明する。
図中、１ｂは合成分配回路部（信号入出力回路部）である。合成分配回路部１ｂは、第１入力端子２１ａ〜２１ｄに入力された信号を合成して、第１出力端子３１ａ，３１ｂにそれぞれ分配して出力するものである。また、合成分配回路部１ｂは、第１入力端子２１ａ〜２１ｄに入力された信号を合成して、第２出力端子３２ａ，３２ｂにそれぞれ分配して出力するものである。
【００４１】
ここで、合成分配回路部１ｂに含まれる信号経路のうち、第１入力端子２１ａ〜２１ｄに入力された信号が第１出力端子３１ａ，３１ｂから出力されるまでに通過する信号経路を以下「第１信号経路」という。合成分配回路部１ｂに含まれる信号経路のうち、第１入力端子２１ａ〜２１ｄに入力された信号が第２出力端子３２ａ，３２ｂから出力されるまでに通過する信号経路を以下「第２信号経路」という。合成分配回路部１ｂは、第１信号経路を通過する信号の周波数に対する通過位相特性を示す特性線（以下「第１特性線」という）の傾き値が、第２信号経路を通過する信号の周波数に対する通過位相特性を示す特性線（以下「第２特性線」という）の傾き値よりも大きい値となるように設定されている。
【００４２】
図８に示す如く、第１出力端子３１ａは第３出力端子３３ａに接続されている。第１出力端子３１ｂは第３出力端子３３ｂに接続されている。
【００４３】
第２出力端子３２ａと第４出力端子３４ａ間に、第１移相器４ａ及び第２移相器５ａが直列に接続されている。第１移相器４ａは、入力信号の位相を進ませる移相器である。第２移相器５ａは、入力信号の位相を遅らせる移相器である。第１移相器４ａ及び第２移相器５ａにより、位相誤差補正回路部６ａが構成されている。
【００４４】
同様に、第２出力端子３２ｂと第４出力端子３４ｂ間に、第１移相器４ｂ及び第２移相器５ｂが直列に接続されている。第１移相器４ｂ及び第２移相器５ｂにより、位相誤差補正回路部６ｂが構成されている。
【００４５】
このようにして構成された電子回路３００は、第１移相器４ａ，４ｂの移相量及び第２移相器５ａ，５ｂの移相量を増やすにつれて、第２信号経路及び位相誤差補正回路部６ａ，６ｂを通過する信号の周波数に対する通過位相特性を示す特性線（以下「第３特性線」という）の傾き値が大きくなるようになっている。
【００４６】
次に、電子回路３００の動作について説明する。
第１入力端子２１ａ〜２１ｄに入力された信号は、合成分配回路部１ｂに入力される。合成分配回路部１ｂは、この入力信号を合成して、第１出力端子３１ａ，３１ｂにそれぞれ分配して出力する。また、合成分配回路部１ｂは、この入力信号を合成して、第２出力端子３２ａ，３２ｂにそれぞれ分配して出力する。
【００４７】
このとき、第１移相器４ａ，４ｂの移相量及び第２移相器５ａ，５ｂの移相量を調整することにより、第３特性線の傾き値を変化させる。すなわち、第３特性線の傾き値が第２特性線の傾き値よりも第１特性線の傾き値に近い値となるように第１移相器４ａ，４ｂの移相量及び第２移相器５ａ，５ｂの移相量を調整することで、広い周波数帯域に亘って位相誤差を小さくすることができる。
【００４８】
また、第１移相器４ａ，４ｂの移相量と第２移相器５ａ，５ｂの移相量とを互いに等しい移相量としたまま移相量を調整することで、基準周波数ｆ０における第３特性線の通過位相の値を保持しつつ、第３特性線の傾き値のみを変化させることができる。
【００４９】
以上のように、この実施の形態３の電子回路３００は、第１信号経路を通過する信号の周波数に対する通過位相特性を示す第１特性線の傾き値が、第２信号経路を通過する信号の周波数に対する通過位相特性を示す第２特性線の傾き値よりも大きい値となるように設定した合成分配回路部１ｂを有している。また、入力信号の位相を進ませる第１移相器４ａ，４ｂと、入力信号の位相を遅らせる第２移相器５ａ，５ｂとを直列に接続してなる位相誤差補正回路部６ａ，６ｂを、第２信号経路の第２出力端子３２ａ，３２ｂ側に接続している。
これにより、第３特性線の傾き値が第２特性線の傾き値よりも第１特性線の傾き値に近い値となるように第１移相器４ａ，４ｂの移相量及び第２移相器５ａ，５ｂの移相量を調整することで、広い周波数帯域に亘って位相誤差を小さくすることができる。
【００５０】
実施の形態４．
図９及び図１０を参照して、キャパシタ及びインダクタなどの回路素子（いわゆる「集中定数素子」）を用いて位相誤差補正回路部を構成した電子回路について説明する。なお、実施の形態２と同様の構成部材には同一符号を付して説明を省略する。
【００５１】
第４入力端子２４ａに、第１キャパシタ（第１容量素子）Ｃ１及び第２キャパシタ（第２容量素子）Ｃ２が直列に接続されている。第１キャパシタＣ１と第２キャパシタＣ２間に、第１インダクタ（第１誘導素子）Ｌ１の一端部が接続されている。第１インダクタＬ１の他端部は電気的に接地されている。第１キャパシタＣ１、第２キャパシタＣ２及び第１インダクタＬ１により、Ｔ型回路の第１移相器４１ａが構成されている。
【００５２】
第２キャパシタＣ２と第２入力端子２２ａ間に、第２インダクタ（第２誘導素子）Ｌ２が接続されている。第２インダクタＬ２の一端部に、第３キャパシタ（第３容量素子）Ｃ３の一端部が接続されている。第３キャパシタＣ３の他端部は電気的に接地されている。第２インダクタＬ２の他端部に、第４キャパシタ（第４容量素子）Ｃ４の一端部が接続されている。第４キャパシタＣ４の他端部は電気的に接地されている。第２インダクタＬ２、第３キャパシタＣ３及び第４キャパシタＣ４により、π型回路の第２移相器５１ａが構成されている。
【００５３】
第１移相器４１ａは、入力信号の位相を進ませる移相器である。第２移相器５１ａは、入力信号の位相を遅らせる移相器である。第１移相器４１ａ及び第２移相器５１ａにより、位相誤差補正回路部６１ａが構成されている。
【００５４】
同様に、第４入力端子２４ｂと第２入力端子２２ｂ間に、Ｔ型回路の第１移相器４１ｂ及びπ型回路の第２移相器５１ｂが直列に接続されている。第１移相器４１ｂ及び第２移相器５１ｂにより、位相誤差補正回路部６１ｂが構成されている。
【００５５】
このようにして構成された電子回路４００は、第１移相器４１ａ，４１ｂの移相量及び第２移相器５１ａ，５１ｂの移相量を増やすにつれて、位相誤差補正回路部６１ａ，６１ｂ及び第２信号経路を通過する信号の周波数に対する通過位相特性を示す第３特性線の傾き値が大きくなるようになっている。
【００５６】
電子回路４００は、以下のように実施の形態２の電子回路２００と同様に動作する。
すなわち、第３特性線の傾き値が第２特性線の傾き値よりも第１特性線の傾き値に近い値となるように第１移相器４１ａ，４１ｂの移相量及び第２移相器５１ａ，５１ｂの移相量を調整することで、広い周波数帯域に亘って位相誤差を小さくすることができる。
【００５７】
また、第１移相器４１ａ，４１ｂの移相量と第２移相器５１ａ，５１ｂの移相量とを互いに等しい移相量としたまま移相量を調整することで、基準周波数ｆ０における第３特性線の通過位相の値を保持しつつ、第３特性線の傾き値のみを変化させることができる。
【００５８】
以上のように、この実施の形態４の電子回路４００は、Ｔ型回路の第１移相器４１ａ，４１ｂとπ型回路の第２移相器５１ａ，５１ｂとを直列に接続してなる位相誤差補正回路部６１ａ，６１ｂを、第２信号経路の第２入力端子２２ａ，２２ｂ側に接続している。
これにより、実施の形態２の電子回路２００と同様に、第３特性線の傾き値が第２特性線の傾き値よりも第１特性線の傾き値に近い値となるように第１移相器４１ａ，４１ｂの移相量及び第２移相器５１ａ，５１ｂの移相量を調整することで、広い周波数帯域に亘って位相誤差を小さくすることができる。
【００５９】
また、第１移相器４１ａ，４１ｂ及び第２移相器５１ａ，５１ｂは、集中定数素子を用いて構成している。これにより、位相誤差補正回路部６１ａ，６１ｂを小型にすることができる。
【００６０】
実施の形態５．
図１１及び図１２を参照して、集中定数素子を用いて他の位相誤差補正回路部を構成した電子回路について説明する。なお、実施の形態２と同様の構成部材には同一符号を付して説明を省略する。
【００６１】
第４入力端子２４ａに、第５キャパシタ（第５容量素子）Ｃ５が接続されている。第５キャパシタＣ５の一端部に、第３インダクタ（第３誘導素子）Ｌ３の一端部が接続されている。第３インダクタＬ３の他端部は電気的に接地されている。第５キャパシタＣ５の他端部に、第４インダクタ（第４誘導素子）Ｌ４の一端部が接続されている。第４インダクタＬ４の他端部は電気的に接地されている。第５キャパシタＣ５、第３インダクタＬ３及び第４インダクタＬ４により、π型回路の第１移相器４２ａが構成されている。
【００６２】
第５キャパシタＣ５と第２入力端子２２ａ間に、第５インダクタ（第５誘導素子）Ｌ５及び第６インダクタ（第６誘導素子）Ｌ６が直列に接続されている。第５インダクタＬ５と第６インダクタＬ６間に、第６キャパシタ（第６容量素子）Ｃ６の一端部が接続されている。第６キャパシタＣ６の他端部は電気的に接地されている。第５インダクタＬ５、第６インダクタＬ６及び第６キャパシタＣ６により、Ｔ型回路の第２移相器５２ａが構成されている。
【００６３】
第１移相器４２ａは、入力信号の位相を進ませる移相器である。第２移相器５２ａは、入力信号の位相を遅らせる移相器である。第１移相器４２ａ及び第２移相器５２ａにより、位相誤差補正回路部６２ａが構成されている。
【００６４】
同様に、第４入力端子２４ｂと第２入力端子２２ｂ間に、π型回路の第１移相器４２ｂ及びＴ型回路の第２移相器５２ｂが直列に接続されている。第１移相器４２ｂ及び第２移相器５２ｂにより、位相誤差補正回路部６２ｂが構成されている。
【００６５】
このようにして構成された電子回路５００は、第１移相器４２ａ，４２ｂの移相量及び第２移相器５２ａ，５２ｂの移相量を増やすにつれて、位相誤差補正回路部６２ａ，６２ｂ及び第２信号経路を通過する信号の周波数に対する通過位相特性を示す第３特性線の傾き値が大きくなるようになっている。
【００６６】
電子回路５００は、以下のように実施の形態２の電子回路２００と同様に動作する。
すなわち、第３特性線の傾き値が第２特性線の傾き値よりも第１特性線の傾き値に近い値となるように第１移相器４２ａ，４２ｂの移相量及び第２移相器５２ａ，５２ｂの移相量を調整することで、広い周波数帯域に亘って位相誤差を小さくすることができる。
【００６７】
また、第１移相器４２ａ，４２ｂの移相量と第２移相器５２ａ，５２ｂの移相量とを互いに等しい移相量としたまま移相量を調整することで、基準周波数ｆ０における第３特性線の通過位相の値を保持しつつ、第３特性線の傾き値のみを変化させることができる。
【００６８】
以上のように、この実施の形態５の電子回路５００は、π型回路の第１移相器４２ａ，４２ｂとＴ型回路の第２移相器５２ａ，５２ｂとを直列に接続してなる位相誤差補正回路部６２ａ，６２ｂを、第２信号経路の第２入力端子２２ａ，２２ｂ側に接続している。
これにより、実施の形態２の電子回路２００と同様に、第３特性線の傾き値が第２特性線の傾き値よりも第１特性線の傾き値に近い値となるように第１移相器４２ａ，４２ｂの移相量及び第２移相器５２ａ，５２ｂの移相量を調整することで、広い周波数帯域に亘って位相誤差を小さくすることができる。
【００６９】
また、第１移相器４２ａ，４２ｂ及び第２移相器５２ａ，５２ｂは、集中定数素子を用いて構成している。これにより、位相誤差補正回路部６２ａ，６２ｂを小型にすることができる。
【００７０】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００７１】
１  信号入出力回路部、１ａ，１ｂ  合成分配回路部（信号入出力回路部）、４，４ａ，４ｂ，４１ａ，４１ｂ，４２ａ，４２ｂ  第１移相器、５，５ａ，５ｂ，５１ａ，５１ｂ，５２ａ，５２ｂ  第２移相器、６，６ａ，６ｂ，６１ａ，６１ｂ，６２ａ，６２ｂ  位相誤差補正回路部、１１  第１回路部（第１信号経路）、１２  第２回路部（第２信号経路）、２１，２１ａ，２１ｂ，２１ｃ，２１ｄ  第１入力端子、２２，２２ａ，２２ｂ  第２入力端子、２３，２３ａ，２３ｂ  第３入力端子、２４，２４ａ，２４ｂ  第４入力端子、３１ａ，３１ｂ，３１ｃ，３１ｄ  第１出力端子、３２ａ，３２ｂ  第２出力端子、３３ａ，３３ｂ  第３出力端子、３４ａ，３４ｂ  第４出力端子、１００，２００，３００，４００，５００  電子回路、Ｃ１  第１キャパシタ（第１容量素子）、Ｃ２  第２キャパシタ（第２容量素子）、Ｃ３  第３キャパシタ（第３容量素子）、Ｃ４  第４キャパシタ（第４容量素子）、Ｃ５  第５キャパシタ（第５容量素子）、Ｃ６  第６キャパシタ（第６容量素子）、Ｌ１  第１インダクタ（第１誘導素子）、Ｌ２  第２インダクタ（第２誘導素子）、Ｌ３  第３インダクタ（第３誘導素子）、Ｌ４  第４インダクタ（第４誘導素子）、Ｌ５  第５インダクタ（第５誘導素子）、Ｌ６  第６インダクタ（第６誘導素子）。
【図１】
2015173306.tif 000003
【図２】
2015173306.tif 000004
【図３】
2015173306.tif 000005
【図４】
2015173306.tif 000006
【図５】
2015173306.tif 000007
【図６】
2015173306.tif 000008
【図７】
2015173306.tif 000009
【図８】
2015173306.tif 000010
【図９】
2015173306.tif 000011
【図１０】
2015173306.tif 000012
【図１１】
2015173306.tif 000013
【図１２】
2015173306.tif 000014